(57)【要約】【目的】強固な固定が、危険を伴うことなく簡単にできる縦葺き屋根を提供する。【解決手段】左右に隣り合う吊子１・１の間に溝板２を落とし込むが、吊子１の保持突部１５と被当接箇所１０との間に溝板２の側面部２２を挿入し、保持突部１５に下位成形部２６をかぶせ、被係止部分１５ａに下位係止部分２６ａをはめ、立設部１６上縁にかぶせ部２３をはめ、次に、吊子１にはめられた左右の溝板２・２にキャップ３をかぶせ、溝板２・２の突出部分２２ａ・２２ａに嵌合部３２・３２をはめたときに、溝板２の側面部２２において突出部分２２ａよりも下方を吊子１の被当接箇所１０に当接させ、さらに該当接部分にキャップ３の第一当接部３３ａを当接させる。【選択図】      図１
2004250935.tif 000002
【特許請求の範囲】
【請求項１】
吊子には、屋根下地上に載置される固定面と、立設している立設部とが形成されており、
該立設部よりも外側には、前記固定面から上向きに突出している保持突部が形成されており、
該保持突部には、それぞれ内側方向に向けて突出していて、溝板をはめることができる被係止部分が設けられており、
さらに吊子には、溝板の側面部が当接される被当接箇所が形成されており、
溝板には、平面部と、その左右に形成されている下位成形部と、
下位成形部からそれぞれ立ち上げられた側面部と、
側面部の上縁が外側方向下向きに折り曲げられたかぶせ部とが形成されており、前記下位成形部の側面部側には、吊子の被係止部分にはめられる下位係止部分が設けられており、
前記側面部には、内側方向に突出されていてキャップをはめることができる突出部分が設けられており、
キャップには、上面部と、
その左右に形成されていて溝板の突出部分にはめることができる嵌合部と、
該嵌合部よりも下方に形成されていて、溝板の側面部において突出部分よりも下方に当接される当接部とが設けられており、
屋根下地に所定間隔で固定された吊子において、
左右に隣り合う吊子の間に溝板が落とし込まれるが、
吊子の保持突部と被当接箇所との間に溝板の側面部が挿入され、
保持突部に下位成形部がかぶせられ、
被係止部分に下位係止部分がはめられ、
立設部上縁にかぶせ部がはめられており、
吊子にはめられた左右の溝板にキャップがかぶせられ、溝板の突出部分に嵌合部がはめられたときに、
溝板の側面部において突出部分よりも下方が吊子の被当接箇所に当接されており、
さらに該当接部分にキャップが当接されている縦葺き屋根。
【請求項２】
吊子は、キャップ保持部材を組み合わせることができる形状をしており、
該吊子には、屋根下地上に載置される固定面と、立設している立設部とが形成されており、
該立設部よりも外側には、
前記固定面から上向きに突出している保持突部が形成されており、
該保持突部には、それぞれ内側方向に向けて突出していて、溝板をはめることができる被係止部分が設けられており、
さらに吊子には、溝板の側面部が当接される被当接箇所が形成されており、
溝板には、平面部と、その左右に形成されている下位成形部と、
下位成形部からそれぞれ立ち上げられた側面部と、
側面部の上縁が外側方向下向きに折り曲げられたかぶせ部とが形成されており、前記下位成形部の側面部側には、吊子の被係止部分にはめられる下位係止部分が設けられており、
キャップには、上面部と、
その左右に形成されていてキャップ保持部材にはめることができる嵌合部と、
該嵌合部よりも下方に形成されていて、溝板の側面部において突出部分よりも下方に当接される当接部とが設けられており、
キャップ保持部材には、キャップ支持面が形成されており、キャップをはめることができ、
かつ、吊子に組み合わせることができる形状をしており、
屋根下地に所定間隔で固定された吊子において、
左右に隣り合う吊子の間に溝板が落とし込まれるが、
吊子の保持突部と被当接箇所との間に溝板の側面部が挿入され、
保持突部に下位成形部がかぶせられ、
被係止部分に下位係止部分がはめられ、
立設部上縁にかぶせ部がはめられており、
吊子にキャップ保持部材が組み合わせられており、
該キャップ保持部材にキャップがかぶせられ、キャップ保持部材に嵌合部がはめられたときに、
溝板の側面部が吊子の被当接箇所に当接されており、
さらに該当接部分にキャップが当接されている縦葺き屋根。
【発明の詳細な説明】
【０００１】
【発明が属する技術分野】
本発明は、あらかじめ固定された吊子に溝板をはめ、さらにキャップをかぶせた縦葺き屋根の構造に関するものである。
【０００２】
【従来の技術】
従来の技術について、まず図１０により説明する。ここに示した縦葺き屋根は、特開２０００−３２８７２８号公報の図６に記載されている吊子１に、該公報の図１に示した構成の溝板２とキャップ３とを組み合わせたものである。
この吊子１は、はぜ締め式の瓦棒葺き屋根Ａの改修に用いられるものである。
瓦棒ａを跨いで取り付けられるため、左右両側に固定面１１・１１があり、固定面１１・１１の一側が立ち上げられた立設部１６・１６と、それぞれの立設部１６・１６をつなぐ接続面１４とが形成されている。接続面１４の上方には、立設部１６・１６の上縁が内側方向に折り曲げられた折り曲げ部１３・１３が形成されており、その先端は突端部分１３ａ・１３ａとなっている。
溝板２は、平面部２１と、その左右に形成された側面部２２・２２とを有しており、側面部２２・２２には、平面部２１方向に突出していて、キャップ３がはめられる突出部分２２ａ・２２ａが形成されている。また、側面部２２・２２の上方は、外側方向下向きに折り曲げられたかぶせ部２３・２３となっており、かぶせ部２３・２３は内側方向に折り曲げられて、吊子１の突端部分１３ａ・１３ａにはめられる掛け止め部２４・２４となっている。キャップ３は吊子１を覆う形状で、左右には、溝板２の突出部分２２ａ・２２ａにはめられる嵌合部３２・３２が形成されている。
そして、既存の瓦棒葺き屋根Ａの瓦棒ａに吊子１をかぶせて、その固定面１１・１１に止着具５を打ち込んで下地４に固定する。次に、左右に隣り合う吊子１の間に溝板２を落とし込み、かぶせ部２３・２３を折り曲げ部１３・１３にかぶせ、掛け止め部２４・２４を吊子１の突端部分１３ａ・１３ａにはめる。続いて、吊子１の上方からキャップ３をかぶせて、溝板２の突出部分２２ａ・２２ａにキャップ３の嵌合部３２・３２をはめる。
【０００３】
図１１は、特開平１１−１４１０６３号公報の図６に示された縦葺き屋根である。
ここに示した吊子１には、止着面１７と、その左右両側から立ち上げられた立設部１６・１６とが形成されており、立設部１６・１６の上縁はそれぞれ外側方向下向きに折り曲げられて、折り曲げ部１３・１３が形成されている。
溝板２には、平面部２１と、その左右がわずかに立ち上げられた立面部２８・２８と、立面部２８・２８から平面部２１側に向かって下向きに折り曲げられ、さらに上方に向かって折り曲げられた曲折部２５・２５と、曲折部２５・２５から立ち上げられた側面部２２・２２とが形成されている。
側面部２２・２２には、平面部２１方向に突出していて、キャップ３がはめられる突出部分２２ａ・２２ａが形成されている。キャップ３は吊子１を覆う形状で、左右には、溝板２の突出部分２２ａ・２２ａにはめられる嵌合部３２・３２が形成されている。
そして、溝板２を所定間隔で下地４上に配設し、左右に隣り合う溝板２・２の間に吊子１を入れる。このとき、吊子１の立設部１６・１６をそれぞれの立面部２８・２８に当て、曲折部２５・２５に折り曲げ部１３・１３をはめて、止着面１７に止着具５を打ち込んで下地４に固定する。次に、吊子１の上方からキャップ３をかぶせて、左右に隣り合う溝板２・２の突出部分２２ａ・２２ａにキャップ３の嵌合部３２・３２をはめる。
【０００４】
図１２は、特開２００１−１３２１７６号公報の図１３（Ｂ）に示された縦葺き屋根である。
この図は、縦葺き屋根の溝板２の平面部２１に下位成形部２６・２６を形成し、下位成形部２６・２６に形成された下位係止部分２６ａ・２６ａを、下地４に固定された吊子１の被係止部分１５ａ・１５ａにはめた箇所を示したものである。
【０００５】
【特許文献１】
特開２０００−３２８７２８号公報（図１）（図６）
【特許文献２】
特開平１１−１４１０６３号公報（図６）
【特許文献３】
特開２００１−１３２１７６号公報（図１３（Ｂ））
【０００６】
【発明が解決しようとする課題】
図１０に示した従来技術は、瓦棒葺き屋根の改修を目的としたものである。そして、溝板とキャップとの嵌合位置が溝板の側面部の高さの半分以下であることにより、溝板が強風で持ち上げられても外れにくいと考えられていた。しかし、溝板が吊子にはまっている箇所は溝板の上方である。このため、溝板の平面部の中央部分が持ち上げられた場合には、吊子の折り曲げ部に添って溝板のかぶせ部が弧を描くように変形し、キャップの嵌合部が溝板の突出部分から簡単に外れてしまうおそれがあった。
図１１に示した従来技術は、溝板の下位を吊子で押さえることで、溝板を強固に固定することを目的としたものである。しかし、吊子を先に下地に固定しておくことができないため、固定されていない溝板の上に載るという危険の伴う作業をしなければならなかったり、溝板に吊子を１つずつはめては固定していくという手間がかかったりしていた。
図１２に示した従来技術は、吊子と溝板の側面部との間に空間があり、溝板が風圧でバタつきやすいが、その動きを規制する方法は開示されていなかった。
【０００７】
【課題を解決するための手段】
本発明の縦葺き屋根は、次のような吊子と溝板とキャップとを用いる。請求項１に記載の発明は、吊子には、屋根下地上に載置される固定面と、立設している立設部とが形成されており、該立設部よりも外側には、前記固定面から上向きに突出している保持突部が形成されており、該保持突部には、それぞれ内側方向に向けて突出していて、溝板をはめることができる被係止部分が設けられており、さらに吊子には、溝板の側面部が当接される被当接箇所が形成されている。
溝板には、平面部と、その左右に形成されている下位成形部と、下位成形部からそれぞれ立ち上げられた側面部と、側面部の上縁が外側方向下向きに折り曲げられたかぶせ部とが形成されており、前記下位成形部の側面部側には、吊子の被係止部分にはめられる下位係止部分が設けられており、前記側面部には、内側方向に突出されていてキャップをはめることができる突出部分が設けられている。
キャップには、上面部と、その左右に形成されていて溝板の突出部分にはめることができる嵌合部と、該嵌合部よりも下方に形成されていて、溝板の側面部において突出部分よりも下方に当接される当接部とが設けられている。
そして、屋根下地に所定間隔で固定された吊子において、左右に隣り合う吊子の間に溝板が落とし込まれるが、吊子の保持突部と被当接箇所との間に溝板の側面部が挿入され、保持突部に下位成形部がかぶせられ、被係止部分に下位係止部分がはめられ、立設部上縁にかぶせ部がはめられており、吊子にはめられた左右の溝板にキャップがかぶせられ、溝板の突出部分に嵌合部がはめられたときに、溝板の側面部において突出部分よりも下方が吊子の被当接箇所に当接されており、さらに該当接部分にキャップが当接されている縦葺き屋根である。
【０００８】
請求項２記載の発明は、吊子は、キャップ保持部材を組み合わせることができる形状をしており、該吊子には、屋根下地上に載置される固定面と、立設している立設部とが形成されており、該立設部よりも外側には、前記固定面から上向きに突出している保持突部が形成されており、該保持突部には、それぞれ内側方向に向けて突出していて、溝板をはめることができる被係止部分が設けられており、さらに吊子には、溝板の側面部が当接される被当接箇所が形成されている。
溝板には、平面部と、その左右に形成されている下位成形部と、下位成形部からそれぞれ立ち上げられた側面部と、側面部の上縁が外側方向下向きに折り曲げられたかぶせ部とが形成されており、前記下位成形部の側面部側には、吊子の被係止部分にはめられる下位係止部分が設けられている。
キャップには、上面部と、その左右に形成されていてキャップ保持部材にはめることができる嵌合部と、該嵌合部よりも下方に形成されていて、溝板の側面部において突出部分よりも下方に当接される当接部とが設けられている。
キャップ保持部材には、キャップ支持面が形成されており、キャップをはめることができ、かつ、吊子に組み合わせることができる形状をしている。
そして、屋根下地に所定間隔で固定された吊子において、左右に隣り合う吊子の間に溝板が落とし込まれるが、吊子の保持突部と被当接箇所との間に溝板の側面部が挿入され、保持突部に下位成形部がかぶせられ、被係止部分に下位係止部分がはめられ、立設部上縁にかぶせ部がはめられており、吊子にキャップ保持部材が組み合わせられており、該キャップ保持部材にキャップがかぶせられ、キャップ保持部材に嵌合部がはめられたときに、溝板の側面部が吊子の被当接箇所に当接されており、さらに該当接部分にキャップが当接されている縦葺き屋根である。
【０００９】
【発明の実施の形態】
本発明の縦葺き屋根に用いる吊子１と溝板２とキャップ３とは、溝板２の側面部２２・２２が吊子１の被当接箇所１０・１０に当接されており、さらに該当接部分にキャップ３が当接されている関係にある。
吊子１の被当接箇所１０・１０は、そこに当接される溝板２の側面部２２・２２と平行で当接面が大きい実施の形態がよい。
溝板２の側面部２２・２２は、突出部分２２ａ・２２ａより略直角に垂下されて、吊子１の被当接箇所１０・１０や、溝板２に当接されるキャップ３の当接部と平行で当接面が大きい実施の形態がよい。
キャップ３の当接部は、嵌合部３２・３２よりも下方が、溝板２の側面部２２・２２に当接される形状に形成されているが、嵌合部３２・３２が内側方向に折り曲げられてから、略直角に折り下げられてから再び外側方向に略直角に折り曲げられて、前記折り下げ面が溝板２の側面部２２・２２に当接する第一当接部３３ａ・３３ａとなっている実施の形態がある。
そのうえ、第一当接部３３ａ・３３ａから外側方向に折り下げられてから先端が内側方向に折り曲げられている第二当接部３３ｂ・３３ｂが形成されている実施の形態がある。そこは、溝板２の下位成形部２６・２６において、平面部２１側に形成されている傾斜面に当接する。
このように、第一当接部３３ａ・３３ａが、外側方向に向かってコ字状に開口して形成されている実施の形態では、溝板２の側面部２２・２２にほぼ平行に添う。このため、吊子１の被当接箇所１０・１０と第一当接部３３ａ・３３ａとで側面部２２・２２を面で接触させて挟み込むようになり、側面部２２・２２の動きをいっそう規制することができる。
また、第二当接部３３ｂ・３３ｂをも形成し、溝板２の下位成形部２６・２６を外側方向から押さえることで、溝板２をより強く押さえることができる。
【００１０】
【実施例】
本発明の実施例について、図面をもとに説明する。図１は本発明の第一実施例の説明図であり、図２は図１に用いた吊子１の説明図であり、図３は図１に用いた溝板２の説明図であり、図４（ア）（イ）は既存の瓦棒葺き屋根Ａの改修に用いた場合の説明図であり、図５（ア）は吊子１の他の実施例の説明図であり、（イ）は（ア）の吊子１を用いた縦葺き屋根の施工状態を示す説明図であり、図６（ア）（イ）はそれぞれ第一実施例の変形例を示す説明図であり、図７は第二実施例の説明図である。図８（ア）（イ）と図９（ア）（イ）とは、第三実施例の説明図であり、吊子１の変形例を示すものである。
まず、図１から図３により説明する。本発明の縦葺き屋根には、吊子１と溝板２とキャップ３とを用いる。そして、モヤ・タルキや野地材といった下地４に、先に吊子１を取り付けておく。
【００１１】
吊子１は、図２の斜視図の通りであり、本実施例の場合には、アルミ押し出し成形により製作されている。従って、長いまま用いてもよいし、短く切断したものを用いてもよい。
この吊子１には、その左右両側に位置していて、屋根下地４上に載置される固定面１１・１１が形成されており、さらに、その固定面１１・１１の一側から立設している立設部１６・１６が左右に一対形成されている。本実施例の場合には、固定面１１・１１の内側縁が立ち上げられて立設部１６・１６となっている。
そして、立設部１６・１６の一部は、外側方向に向かって突出していて、溝板２の側面部２２・２２が当接される被当接箇所１０・１０を形成している。本実施例の被当接箇所１０・１０は、後述する溝板２２において、突出部分２２ａ・２２ａより下方の側面部２２・２２と平行な面を有している。
また、その立設部１６・１６よりも外側には、固定面１１・１１から上向きに突出している保持突部１５・１５が形成されており、保持突部１５・１５には、それぞれ内側方向に向けて突出していて、溝板２をはめることができる、被係止部分１５ａ・１５ａが設けられている。
そして、左右の立設部１６・１６をつなぐ接続面１４が形成されており、本実施例の吊子１は、瓦棒葺き屋根Ａの瓦棒ａを跨ぐことができる形状になっている。
固定面１１・１１に止着具５を打ち込むこともあるし、図１のように接続面１４に止着具５を打ち込むこともある。本実施例の場合には、それぞれの面に、止着具５を打ち込みやすいように、溝が刻まれている。
【００１２】
次に、溝板２について説明する。図３に示した通り、溝板２には、平面部２１が形成されており、その左右には、吊子１の保持突部１５・１５にかぶせられる下位成形部２６・２６が形成されている。そして、下位成形部２６・２６が外側方向へ折り下げられて、吊子１の被係止部分１５ａ・１５ａにはめられる下位係止部分２６ａ・２６ａが設けられている。尚、平面部２１と下位成形部２６・２６との間には段差が付けられており、固定面１１・１１に止着具５が打ち込まれたときに、その頭をすっぽり覆うことができる。下位成形部２６・２６は、平面部２１からあまり突出させず、できるだけ溝板２の下位に形成した方がよい。
溝板２の下位係止部分２６ａ・２６ａは、さらに折り曲げられて樋状部２７・２７となっており、樋状部２７・２７が上方に延ばされて側面部２２が形成されている。側面部２２・２２には、平面部２１側に向かって突出していて、キャップ３がはめられる突出部分２２ａ・２２ａが形成されている。本実施例の溝板２の側面部２２・２２の突出部分２２ａ・２２ａよりも下方は、突出部分２２ａ・２２ａから略直角に垂下されて、吊子１の被当接箇所１０・１０とほぼ平行な面を有している。
側面部２２・２２は、さらに上方に延ばされてから外側方向下向きに折り曲げられてかぶせ部２３・２３となっており、かぶせ部２３・２３の先端は内側方向に折り曲げられている。
【００１３】
キャップ３は、図１の場合には、上面部３１と、その左右が斜めに折り下げられてから内側方向に折り曲げられた嵌合部３２・３２とが形成されており、この嵌合部３２・３２が溝板２の突出部分２２ａ・２２ａにはめられる。そして、嵌合部３２・３２の下方は、溝板２に当接される形状に形成されている。
本実施例の場合には、嵌合部３２・３２から略直角に折り下げられてからさらに略直角に外側方向に折り曲げられていて、溝板２の側面部２２・２２にほぼ並行に添っていて、そこに当接される第一当接部３３ａ・３３ａが形成されている。
そのうえ、第一当接部３３ａ・３３ａから外側方向に折り下げられてから先端が内側方向に折り曲げられていて、溝板２の下位成形部２６・２６において、平面部２１側に形成されている傾斜面に当接する第二当接部３３ｂ・３３ｂが形成されている。
本実施例の場合は、嵌合部３２・３２が内側方向に折り曲げられてから、略直角に折り下げられてから再び外側方向に略直角に折り曲げられて、前記折り下げ面が溝板２の側面部２２・２２に当接する第一当接部３３ａ・３３ａとなっている。
そのうえ、第一当接部３３ａ・３３ａから外側方向に折り下げられてから先端が内側方向に折り曲げられている第二当接部３３ｂ・３３ｂが形成されている。
そこは、溝板２の下位成形部２６・２６において、平面部２１側に形成されている傾斜面に当接する。
このように、第一当接部３３ａ・３３ａが、外側方向に向かってコ字状に開口して形成されていることにより、溝板２の側面部２２とほぼ平行に添う。このため、吊子１の被当接箇所１０・１０と第一当接部３３ａ・３３ａとで側面部２２・２２を面で接触させて挟み込むようになり、側面部２２・２２の動きを規制することができる。
また、第二当接部３３ｂ・３３ｂをも形成し、溝板２の下位成形部２６を外側方向から押さえることで、溝板２をいっそう強く押さえることができる。
当接部は、第一当接部３３ａ・３３ａだけでも風圧に強い縦葺き屋根を提供できる。しかし、第一当接部３３ａ・３３ａと第二当接部３３ｂ・３３ｂとの二箇所あることが望ましい。
【００１４】
これまで述べた吊子１と溝板２とキャップ３とを用いた縦葺き屋根の施工状態について、図１により説明する。
まず、吊子１を屋根下地４に止着具５で固定する。図１では止着具５を接続面１４から貫通させて、下地４を構成している、所定間隔で配設されたリップ溝形鋼に取り付けている。固定面１１に止着具５を打ち込んで取り付けてもよい。
次に、左右に隣り合う吊子１と吊子１の間に溝板２を落とし込む。このとき、吊子１の保持突部１５・１５と被当接箇所１０・１０との間に溝板２の側面部２２・２２が挿入され、吊子１の保持突部１５・１５に溝板２の下位成形部２６・２６がかぶさり、被係止部分１５ａ・１５ａに下位係止部分２６ａ・２６ａが弾性嵌合される。また、吊子１の立設部１６・１６の上縁に、溝板２のかぶせ部２３・２３がはまる。
続いて、キャップ３を溝板２にはめる。このとき、図１の破線の状態であったキャップ３の嵌合部３２・３２が、溝板２の突出部分２２ａ・２２ａに弾性嵌合される。また、側面部２２・２２にキャップ３の第一当接部３３ａ・３３ａが当接し、下位成形部２６・２６の傾斜面に添って第二当接部３３ｂ・３３ｂが当接する。
【００１５】
このようにして施工された本発明の縦葺き屋根は、平面部２１から突出させて溝板２の下位に形成されている下位成形部２６・２６が吊子１の保持突部１５・１５にかぶさり、下位係止部分２６ａ・２６ａが吊子１の被係止部分１５ａ・１５ａに弾性嵌合されている。また、かぶせ部２３・２３が、立設部１６・１６の上方にはまる。さらに、第一当接部３３ａ・３３ａと第二当接部３３ｂ・３３ｂとが、それぞれ溝板２の側面部２２・２２と下位成形部２６・２６の傾斜面とに当接している。そのうえ、吊子１の被当接箇所１０・１０とキャップ３の第一当接部３３ａ・３３ａにより、溝板２の側面部２２・２２が挟み込まれている。
このため、溝板２の平面部２１の中央部分が強風で持ち上げられたとしても、下位が吊子１にはまっていることにより、図１０と比較して、平面部２１が持ち上がる際の変位量が少なくて済み、平面部２１の中央部分が大きな円弧を描いて持ち上がって変形し、従って外れてしまうのを防ぐことができる。
また、第一当接部３３ａ・３３ａと第二当接部３３ｂ・３３ｂとにより、溝板２を押さえることができる。第一当接部３３ａ・３３ａは、側面部２２・２２を押さえており、さらに溝板２の側面部２２・２２は吊子１の被当接箇所１０・１０に押し付けられている。そして、保持突部１５・１５に形成されている被係止部分１５ａ・１５ａは、外側向きではなく立設部１６・１６側に向かって突出して形成されていて、保持突部１５・１５の外側から第二当接部３３ｂ・３３ｂが溝板２の下位成形部２６・２６を押さえているので、強度が保てるのである。
さらに、かぶせ部２３・２３が吊子１の立設部１６・１６にはまっているので、溝板２の変形を防いでいる。順を追って詳述すると、平面部２１の中央部分が持ち上げられようとすると、かぶせ部２３・２３が外側方向に倒れようとする。
かぶせ部２３・２３が外側方向に倒れると、突出部分２２ａ・２２ａも外側方向に倒れ、キャップ３の嵌合部３２・３２との引っ掛かりが浅くなり、キャップ３が外れやすくなる。しかし、立設部１６・１６にかぶせ部２３・２３がはまっていることにより、かぶせ部２３・２３が外側方向に倒れにくくなっている。
そのうえ、第一当接部３３ａ・３３ａが、外側方向に向かってコ字状に開口して形成されていることにより、溝板２の側面部２２とほぼ平行に添う。このため、吊子１の被当接箇所１０・１０と第一当接部３３ａ・３３ａとで側面部２２・２２を面接触させて挟み込むようになり、側面部２２・２２の動きをいっそう規制することができる。第一当接部３３ａ・３３ａだけでなく、第二当接部３３ｂ・３３ｂをも形成したことで、溝板２の下位成形部２６を外側方向からより強く押さえることができる。
このように、かぶせ部２３・２３は、溝板２・２が外側方向（吊子１の内側方向）に倒れるのを防ぐことを目的としてかぶせるようにはめられており、そこが吊子１に弾性嵌合している図１０とは異なっている。かぶせ部２３・２３をも吊子１に弾性嵌合させようとすると、上下両方をはめなければならず、確実にはめるには手間がかかるという問題がある。
【００１６】
図４は、既存の瓦棒葺き屋根Ａの上に施工した状態を示している。（ア）は、比較的幅が広くて高さが低い瓦棒葺き屋根Ａの上に施工したものであり、（イ）は、（ア）よりも幅が狭くて高さが高い瓦棒葺き屋根Ａの上に施工したものである。本実施例の吊子１は、どちらの瓦棒葺き屋根Ａの瓦棒ａも跨ぐことができるように寸法設定されている。
図４（ア）（イ）では、止着具５は、固定面１１に打ち込まれて下地４に取り付けられた状態を示している。接続面１４から、止着具５を打ち込んでもよい。
このように、本発明の縦葺き屋根に用いる吊子１は、瓦棒葺き屋根Ａの瓦棒ａを跨ぐことができる形状であるため、新築だけでなく、既存の瓦棒葺き屋根Ａの改修にも用いることができる。
尚、（ア）（イ）の破線により、キャップ３の上面部３１の形状が、断面略半円状のものでもよいことを示している。
【００１７】
図５（ア）は、吊子１の他の実施例を示しており、（イ）は、その吊子１を用いた施工状態を示している。図２のアルミ押し出し成形による吊子１、及び、それを使用した図１とは異なり、図５に示した吊子１は、プレス成型でも製作できることを示している。本実施例の場合も、立設部１６・１６の一部を外側方向に突出させて、被当接箇所１０・１０を形成している。
【００１８】
図６（ア）（イ）は、第一実施例の変形例を示している。そこで、図１に示した縦葺き屋根との相違点のみ説明する。
（ア）は、溝板２は図１と同じで、キャップ３が違う。このキャップ３は、図１に示したキャップ３の第二当接部３３ｂ・３３ｂが、第一当接部３３ａ・３３ａから屈曲されることなく、まっすぐに延ばされてから裏面側に折り返されている点が違う。
（イ）は、吊子１の保持突部１５・１５において、固定面１１から立ち上げられた箇所において、外側が傾斜面である図１とは異なり、垂直になっている。溝板２も、この吊子１に合わせて、下位成形部２６・２６において、平面部２１から立ち上げられた箇所が、傾斜面ではなく垂直になっている。このため、キャップ３の第二当接部３３ｂ・３３ｂが当接している箇所は、下位成形部２６・２６の角部となっている。
図１とは、キャップ３が溝板２に当接している状態が異なるが、いずれの場合にも、キャップ３のそれぞれの当接部が溝板２に当接している。しかも、第一当接部３３ａ・３３ａが溝板２の側面部２２・２２に当接し、さらに吊子１の被当接箇所１０・１０に当接している。このため、強風により溝板２が持ち上げられにくくなっている点は同じである。
【００１９】
さらに、図７により第二実施例について説明する。図１との相違点についてのみ説明する。図７では、吊子１に、キャップ保持部材６を組み合わせている。
キャップ保持部材６には、本実施例の場合には、キャップ支持面６１と、その両側から折り下げられた斜面部６２・６２とが形成されている。また、キャップ支持面６１の裏面側からは、下方に延ばされた脚部６３・６３が形成されており、その下方には、吊子１にはめられる脚部係止部分６３ａ・６３ａが形成されている。本実施例の場合には、吊子１の接続面１４に打ち込まれる止着具５を避けるようにしてはめられる。
一方、キャップ保持部材６がはめられる吊子１には、接続面１４に、脚部係止部分６３ａ・６３ａがはめられる引っかかり部１８・１８が形成されている。
このような吊子１が、所定間隔で下地４に止着具５を打ち込んで固定されている。そして、左右に隣り合う吊子１と吊子１の間に溝板２を落とし込んで、吊子１に溝板２をはめる。次に、軒棟方向に所定間隔で取り付けられた吊子１・１にキャップ保持部材６を掛け渡して、引っかかり部１８・１８に脚部係止部分６３ａ・６３ａをはめる。続いて、キャップ保持部材６にキャップ３をかぶせて、斜面部６２・６２の先端部分に嵌合部３２・３２をはめる。図７の溝板２の側面部２２・２２には、突出部分２２ａ・２２ａは形成されていない。
【００２０】
このように、図７は、キャップ３が溝板２にはまっている図１とは異なり、キャップ保持部材６の斜面部６２・６２の先端部分にはまっている。
本実施例の場合には、キャップ保持部材６によってキャップ３の上面部３１をキャップ支持面６１で全体的に支持する。このため、キャップ３がいっそう外れにくいし、上面部３１はいっそうつぶれにくい。
また、キャップ保持部材６のキャップ支持面６１の形状を円弧状や逆Ｖ字状にし、キャップ３をそれに合わせた形状にすることもできる。
【００２１】
続いて、図８（ア）（イ）及び図９（ア）（イ）について説明する。これらについて、順番に、図１と違う点のみ説明する。いずれも図１とは異なり、瓦棒葺き屋根Ａの瓦棒ａを跨ぐことは想定していない。
図８（ア）の吊子１は、図１の吊子１の接続面１４を固定面１１・１１と同じ位置まで下げている。つまり、図１の吊子１とは異なり、左右の立設部１６・１６をつなぐ接続面１４の中央部分が下地４に載置される。そして、そこに止着具５を打ち込んで、下地４に固定する。また、本実施例の溝板２の平面部２１には、止着具５の頭を覆うための段差はない。この吊子１のそれぞれの固定面１１・１１と接続面１４とをつないでもよい。
（イ）の吊子１は、プレス成型によるものであり、（ア）と同様に、接続面１４が固定面１１・１１と同じ高さに位置している。
【００２２】
図９（ア）の吊子１は、固定面１１から立設部１６・１６が立設している。そして、その中途をそれぞれ外側方向に突出させて被当接箇所１０・１０を形成している。
（イ）の吊子１は、下部吊子１ａと上部吊子１ｂとを組み合わせて成っている。下部吊子１ａは、固定面１１・１１と、固定面１１から立設させた立設部１６・１６が形成されている。この立設部１６・１６には、上部吊子１ｂを組み合わせることができる引っかかり部１８・１８が形成されている。
上部吊子１ｂは、水平面１２と、そこから垂下させた脚部１９・１９と、水平面１２から立設させた立設部１６・１６とを有している。そして、立設部１６・１６よりもさらに外側には、溝板２の側面部２２・２２が当接される被当接箇所１０・１０が形成されている。下部吊子１ａの引っかかり部１８・１８に、上部吊子１ｂの脚部１９・１９をはめて用いる。上部吊子１ｂを長尺ものにし、軒棟方向に所定間隔で固定された、短尺ものの下部吊子１ａ・１ａに架け渡すとよい。
このように、本発明に用いる吊子１は、いろいろな実施例が考えられる。
吊子１には、屋根下地４上に載置される固定面１１・１１と、立設している立設部１６・１６とが形成されており、立設部１６・１６よりも外側には、固定面１１・１１から上向きに突出している保持突部１５・１５が形成されていて、保持突部１５・１５には、それぞれ内側方向に向けて突出している被係止部分１５ａ・１５ａが設けられていればよい。かつ、立設部１６・１６よりも外側に、被当接箇所１０・１０が形成されていればよい。被当接箇所１０・１０と被係止部分１５ａ・１５ａとの間は、溝板２の側面部２２・２２を挿入することができる間隔があいている。
被係止部分１５ａ・１５ａと、そこにはめられる溝板２の下位係止部分２６ａ・２６ａとは、少なくともそれぞれ吊子１の内側方向に向けて形成されていればよく、内側方向と外側方向との両側に向けて形成されていてもよい。
溝板２の平面部２１の中央部分が上に持ち上げられた場合には、平面部２１側に形成されている被係止部分１５ａ・１５ａと下位係止部分２６ａ・２６ａとは、外れる可能性がある。しかし、これまでの説明に用いた図の通り、少なくとも、吊子１の内側方向に向かって被係止部分１５ａ・１５ａと下位係止部分２６ａ・２６ａとが形成されていれば、平面部２１の中央部分が上に持ち上げられたとしても変位量が少なく、外れにくい。
【００２３】
また、これまで述べて来たキャップ３は、第一当接部３３ａ・３３ａが溝板２の側面部２２・２２に当接し、第二当接部３３ｂ・３３ｂが溝板２の下位成形部２６・２６に当接するものである。このように、溝板２に当接している箇所が複数であり、当接面積が広いほど溝板２は外れにくい。しかし、本発明は、その当接箇所を、嵌合部３２・３２よりも下方であるとしているだけで、その箇所や数を限定するものではない。
本発明の縦葺き屋根の特徴についてまとめると、次の通りとなる。
１．吊子１を先に固定しておくことができる。
２．平面部２１の左右であって、溝板２の下位に形成されている下位成形部２６・２６において、側面部２２・２２方向に向けて突出して形成されている下位係止部分２６ａ・２６ａが設けられており、そこが吊子１の下位に位置している保持突部１５・１５の被係止部分１５ａ・１５ａに弾性嵌合されるので、簡単で強固な固定ができる。
３．キャップ３の第一当接部３３ａ・３３ａが溝板２の側面部２２・２２に当接しており、該側面部２２・２２は吊子１の被当接箇所１０・１０に当接しているので、溝板２を挟み込むようにして押さえ付けることができる。第二当接部３３ｂ・３３ｂをも形成し、溝板２の下位成形部２６・２６をも押さえたならば、いっそう強固な固定ができる。
４．立設部１６・１６にかぶせ部２３・２３がはめられるので、溝板２・２が外側方向に倒れにくい。
５．吊子１の形状を瓦棒ａを跨ぐことができる形状にすることで、既存の瓦棒葺き屋根Ａの改修にも使える。
【００２４】
【発明の効果】
図１０に示した従来技術は、溝板とキャップとの嵌合位置が溝板の側面部の高さの半分以下であることにより、溝板が強風で持ち上げられても外れにくいと考えられていた。しかし、溝板が吊子にはまっている箇所は溝板の上方である。このため、溝板の平面部が持ち上げられた場合には、吊子の折り曲げ部に添って溝板のかぶせ部が弧を描くように変形し、キャップの嵌合部が溝板の突出部分から簡単に外れてしまうおそれがあった。
図１１に示した従来技術は、溝板の下位を吊子で押さえることで、溝板を強固に固定することを目的としたものである。しかし、吊子を先に下地に固定しておくことができないため、固定されていない溝板の上に載るという危険の伴う作業をしなければならなかったり、溝板に吊子を１つずつはめては固定していくという手間がかかったりしていた。
図１２に示した従来技術は、吊子と溝板の側面部との間に空間があり、溝板が風圧でバタつきやすいが、その動きを規制する方法は開示されていなかった。
しかし、本発明の請求項１及び請求項２にかかる縦葺き屋根は、あらかじめ固定された吊子に、溝板の下位がはめられる。このため、強固な固定が、危険を伴うことなく簡単にできる。しかも、溝板の側面部が吊子の被当接箇所に当接され、さらに該当接部分にキャップの嵌合部よりも下方が当接される形状に形成してあるため、いっそう強固に溝板を押さえられる。
【図面の簡単な説明】
【図１】本発明の第一実施例の説明図である。
【図２】図１に用いた吊子１の説明図である。
【図３】図１に用いた溝板２の説明図である。
【図４】（ア）（イ）は瓦棒葺き屋根Ａの改修に用いた場合の説明図である。
【図５】（ア）は吊子１の他の実施例の説明図であり、（イ）は（ア）の吊子１を用いた縦葺き屋根の施工状態を示す説明図である。
【図６】（ア）（イ）はそれぞれ本発明の第一実施例の変形例を示す説明図である。
【図７】第二実施例の説明図である。
【図８】（ア）（イ）は第三実施例の説明図であり、吊子１の変形例を示すものである。
【図９】（ア）（イ）は、さらに吊子１の変形例を示すものである。
【図１０】従来技術の説明図である。
【図１１】従来技術の説明図である。
【図１２】従来技術の説明図である。
【符号の説明】
１      吊子
１ａ    下部吊子
１ｂ    上部吊子
１０    被当接箇所
１１    固定面
１２    水平面
１３    折り曲げ部
１３ａ  突端部分
１４    接続面
１５    保持突部
１５ａ  被係止部分
１６    立設部
１７    止着面
１８    引っかかり部
１９    吊子脚部
２      溝板
２１    平面部
２２    側面部
２２ａ  突出部分
２３    かぶせ部
２４    掛け止め部
２５    曲折部
２６    下位成形部
２６ａ  下位係止部分
２７    樋状部
２８    立面部
３      キャップ
３１    上面部
３２    嵌合部
３３ａ  第一当接部
３３ｂ  第二当接部
４      下地
５      止着具
６      キャップ保持部材
６１    キャップ支持面
６２    斜面部
６３    脚部
６３ａ  脚部係止部分
Ａ      瓦棒葺き屋根
ａ      瓦棒
【図１】
2004250935.tif 000003
【図２】
2004250935.tif 000004
【図３】
2004250935.tif 000005
【図４】
2004250935.tif 000006
【図５】
2004250935.tif 000007
【図６】
2004250935.tif 000008
【図７】
2004250935.tif 000009
【図８】
2004250935.tif 000010
【図９】
2004250935.tif 000011
【図１０】
2004250935.tif 000012
【図１１】
2004250935.tif 000013
【図１２】
2004250935.tif 000014
【手続補正書】
【提出日】平成15年2月21日(2003.2.21)
【手続補正１】
【補正対象書類名】明細書
【補正対象項目名】請求項２
【補正方法】変更
【補正の内容】
【請求項２】
吊子は、キャップ保持部材を組み合わせることができる形状をしており、
該吊子には、屋根下地上に載置される固定面と、立設している立設部とが形成されており、
該立設部よりも外側には、
前記固定面から上向きに突出している保持突部が形成されており、
該保持突部には、それぞれ内側方向に向けて突出していて、溝板をはめることができる被係止部分が設けられており、
さらに吊子には、溝板の側面部が当接される被当接箇所が形成されており、
溝板には、平面部と、その左右に形成されている下位成形部と、
下位成形部からそれぞれ立ち上げられた側面部と、
側面部の上縁が外側方向下向きに折り曲げられたかぶせ部とが形成されており、前記下位成形部の側面部側には、吊子の被係止部分にはめられる下位係止部分が設けられており、
キャップには、上面部と、
その左右に形成されていてキャップ保持部材にはめることができる嵌合部と、
該嵌合部よりも下方に形成されていて、溝板の側面部に当接される当接部とが設けられており、
キャップ保持部材には、キャップ支持面が形成されており、キャップをはめることができ、
かつ、吊子に組み合わせることができる形状をしており、
屋根下地に所定間隔で固定された吊子において、
左右に隣り合う吊子の間に溝板が落とし込まれるが、
吊子の保持突部と被当接箇所との間に溝板の側面部が挿入され、
保持突部に下位成形部がかぶせられ、
被係止部分に下位係止部分がはめられ、
立設部上縁にかぶせ部がはめられており、
吊子にキャップ保持部材が組み合わせられており、
該キャップ保持部材にキャップがかぶせられ、キャップ保持部材に嵌合部がはめられたときに、
溝板の側面部が吊子の被当接箇所に当接されており、
さらに該当接部分にキャップが当接されている縦葺き屋根。
【手続補正２】
【補正対象書類名】明細書
【補正対象項目名】０００８
【補正方法】変更
【補正の内容】
【０００８】
請求項２記載の発明は、吊子は、キャップ保持部材を組み合わせることができる形状をしており、該吊子には、屋根下地上に載置される固定面と、立設している立設部とが形成されており、該立設部よりも外側には、前記固定面から上向きに突出している保持突部が形成されており、該保持突部には、それぞれ内側方向に向けて突出していて、溝板をはめることができる被係止部分が設けられており、さらに吊子には、溝板の側面部が当接される被当接箇所が形成されている。
溝板には、平面部と、その左右に形成されている下位成形部と、下位成形部からそれぞれ立ち上げられた側面部と、側面部の上縁が外側方向下向きに折り曲げられたかぶせ部とが形成されており、前記下位成形部の側面部側には、吊子の被係止部分にはめられる下位係止部分が設けられている。
キャップには、上面部と、その左右に形成されていてキャップ保持部材にはめることができる嵌合部と、該嵌合部よりも下方に形成されていて、溝板の側面部に当接される当接部とが設けられている。
キャップ保持部材には、キャップ支持面が形成されており、キャップをはめることができ、かつ、吊子に組み合わせることができる形状をしている。
そして、屋根下地に所定間隔で固定された吊子において、左右に隣り合う吊子の間に溝板が落とし込まれるが、吊子の保持突部と被当接箇所との間に溝板の側面部が挿入され、保持突部に下位成形部がかぶせられ、被係止部分に下位係止部分がはめられ、立設部上縁にかぶせ部がはめられており、吊子にキャップ保持部材が組み合わせられており、該キャップ保持部材にキャップがかぶせられ、キャップ保持部材に嵌合部がはめられたときに、溝板の側面部が吊子の被当接箇所に当接されており、さらに該当接部分にキャップが当接されている縦葺き屋根である。